(57)【特許請求の範囲】
【請求項１】
遊技盤面内に設けられ特定の条件を満たしたときに開放動作する可変入賞装置であって、
前記可変入賞装置は、前記遊技盤面上において開閉自在に軸支された２つの羽根部材と、前記各羽根部材の前方に固定配置されて該羽根部材の少なくとも一部を隠蔽する化粧板と、前記各羽根部材の後方に配置された取付け部材と、を備え、
前記取付け部材には、前記羽根部材の少なくとも一部を投影して該羽根部材の開閉動作を前方から視認可能とする鏡面が形成されており、
前記鏡面は、前記化粧板の外形輪郭線、或いは前記羽根部材先端部の移動軌跡に沿った前記取付け部材前面に少なくとも配置されていることを特徴とする可変入賞装置。
【請求項２】
前記鏡面は、平坦な遊技盤面と平行な平坦面であることを特徴とする請求項１に記載の可変入賞装置。
【請求項３】
前記鏡面は、湾曲面であることを特徴とする請求項１に記載の可変入賞装置。
【請求項４】
前記鏡面は、平坦な遊技盤面に対して所定の傾斜を有した平坦面であることを特徴とする請求項１に記載の可変入賞装置。
【請求項５】
請求項１乃至４の何れか一項に記載の可変入賞装置を備えたことを特徴とする遊技盤。
【請求項６】
請求項５に記載の遊技盤を備えたことを特徴とするパチンコ遊技機。
【発明の詳細な説明】
【技術分野】
【０００１】
本発明はパチンコ遊技機に関し、特に特定の条件を満たしたときに動作する可変入賞装置を備えたパチンコ遊技機の改良に関するものである。
【背景技術】
【０００２】
電動式チューリップと称される可動盤面部品を備えた可動入賞装置を装備したパチンコ遊技機が従来から知られている。電動式チューリップは、ソレノイドを駆動源として回動される一対の羽根部材（可動片）から成り、所定の始動入賞口に遊技球が入賞したときにソレノイドを作動させて一対の羽根部材を一回、或いは２回程度開閉動作させて、遊技盤面を流下する遊技球を捕捉して可変入賞装置内に導くように構成されている（例えば、特開２００３−１１１９１０公報、特開２００６−６８０６１公報）。
通常、近接配置された２つの羽根部材の前面に化粧板等を配置し、化粧板の前面に遊技内容と関わりのある絵柄、文字等を表示して遊技の興趣を高めている。
ところで、化粧板前面に表示する絵柄等を視認可能な程度に十分に大きく構成するためには化粧板自体の面積を大きくする必要があるが、化粧板を大型化すると背後に位置する羽根部材の開閉状態を遊技者が目視確認し難くなるため、遊技の進行上支障が生じていた。
【特許文献１】特開２００３−１１１９１０公報
【特許文献２】特開２００６−６８０６１公報
【発明の開示】
【発明が解決しようとする課題】
【０００３】
以上のように開閉動作する一対の羽根部材を備えた従来の可動入賞装置にあっては、羽根部材の前方に配置した化粧板が羽根部材を隠蔽してその開閉状態を前方から目視確認しにくくするという不具合があった。
本発明は上記に鑑みてなされたものであり、化粧板を小型化したり、化粧板に改造を加えることなく、化粧板により隠蔽されている羽根部材の開閉動作を前方から確実に視認することができる可変入賞装置、遊技盤、及びパチンコ遊技機を提供することを目的としている。
【課題を解決するための手段】
【０００４】
上記目的を達成するため、請求項１の発明に係る可変入賞装置は、遊技盤面内に設けられ特定の条件を満たしたときに開放動作する可変入賞装置であって、前記可変入賞装置は、前記遊技盤面上において開閉自在に軸支された２つの羽根部材と、前記各羽根部材の前方に固定配置されて該羽根部材の少なくとも一部を隠蔽する化粧板と、前記各羽根部材の後方に配置された取付け部材と、を備え、前記取付け部材には、前記羽根部材の少なくとも一部を投影して該羽根部材の開閉動作を前方から視認可能とする鏡面が形成されており、前記鏡面は、前記化粧板の外形輪郭線、或いは前記羽根部材先端部の移動軌跡に沿った前記取付け部材前面に少なくとも配置されていることを特徴とする。
羽根部材の前面に大型の化粧板を配置すると、羽根部材の開閉動作を前方から視認することが困難となる。本発明では、羽根部材の開閉動作をそのまま投影する鏡面を羽根部材の背面側に配置したので、化粧板を小型化することなく羽根部材の開閉動作を視認することが可能となる。
請求項２の発明に係る可変入賞装置は、請求項１において、前記鏡面は、平坦な遊技盤面と平行な平坦面であることを特徴とする。
請求項３の発明に係る可変入賞装置は、請求項１において、前記鏡面は、湾曲面であることを特徴とする。
【０００５】
請求項４の発明に係る可変入賞装置は、請求項１において、前記鏡面は、平坦な遊技盤面に対して所定の傾斜を有した平坦面であることを特徴とする。
請求項５の発明に係る遊技盤は、請求項１乃至４の何れか一項に記載の可変入賞装置を備えたことを特徴とする。
請求項６の発明に係るパチンコ遊技機は、請求項５に記載の遊技盤を備えたことを特徴とする。
【発明の効果】
【０００６】
本発明によれば、羽根部材の前方に大型の化粧板があるために羽根部材の開閉動作を前方から視認できない場合であっても、羽根部材の開閉動作をそのまま投影する鏡面を羽根部材の背面側に配置したので、化粧板を小型化することなく羽根部材の開閉動作を視認することが可能となる。
【発明を実施するための最良の形態】
【０００７】
以下、本発明を図面に示した実施の形態により詳細に説明する。
図１は本発明の実施の形態に係るパチンコ遊技機の全体正面図であり、図２（ａ）（ｂ）及び（ｃ）は羽根部材が閉止した状態にある可変入賞装置を示す正面図、平面図、及び右側面図であり、図３（ａ）（ｂ）及び（ｃ）は羽根部材が開放した状態にある可変入賞装置を示す正面図、平面図、及び右側面図である。
パチンコ遊技機１は、矩形形状の枠２を有し、この枠２の窓孔に対して裏側から遊技盤３が着脱可能に取り付けられている。
遊技盤３には、遊技領域の外周縁に沿って前方に突出されたガイドレールが設けられている。ガイドレールは発射装置から発射された遊技球を遊技領域の上部に案内したり、アウト球を回収するアウト口１８に案内したりする外レールＲ１及び内レールＲ２により構成される。
遊技盤３の前面側には、図示しないガラス枠が開閉可能に取り付けられている。また遊技盤３の下部には遊技球を貯留する受け皿部４と、受け皿部４内の遊技球を発射する発射レバー５等が設けられている。また、受け皿部４の上部には、例えば遊技演出用のチャンスボタンや十字キーなどの操作部６や、遊技球の購入ボタンや購入取り消しボタンなどが設けられている。
遊技盤３の略中央には、図柄表示装置９が配置されている。図柄表示装置９は、例えば、液晶表示装置等の液晶表示パネルによって構成され、通常動作状態の時は図示しない特別図柄画像が表示される。また、所謂リーチ状態や特別遊技状態の時はそれぞれの遊技状態であることを示す演出画像等が表示される。
図柄表示装置９の下方には、図柄表示装置９の特別図柄を可変表示させるための可変入賞装置１１が設けられている。
【０００８】
また、図柄表示装置９の左側には、遊技盤３の右下部に配置された普通図柄表示装置１０に表示される普通図柄を作動させるためのゲート１２が設けられている。
さらに、可変入賞装置１１の下方には、特別遊技状態の一つである大当り状態のときに開成状態になる開閉扉を有する大入賞口１３が設けられている。
可変入賞装置１１は、図柄表示装置９を可変表示させるための上始動ポケット１４と、左右一対の開閉爪（可動片）を有する電動式チューリップ１７とを備えている。
また遊技盤３には、普通入賞口１６が設けられていると共に、風車１５や多数の遊技釘が突設されている。遊技釘は、遊技球の落下速度を遅くすると共に、落下方向を複雑に変化させて遊技進行上の興趣を高めている。
普通図柄表示装置１０に表示される普通図柄は、１個または複数個の図柄を変動表示可能であり、普通図柄始動口としてのゲート１２が遊技球を検出することを条件に、その図柄が乱数制御等により所定時間可変して停止するようになっている。
【０００９】
普通図柄としては、数字図柄、アルファベット図柄、キャラクター図柄、その他の適宜の遊技図柄が使用される。そして、ゲート１２を遊技球が通過したことを条件に乱数制御により普通図柄が所定態様となった場合に、可変入賞装置１１に設けられた電動式チューリップから成る可動片を所定時間、開成動作するように構成されている。
図柄表示装置９に表示される特別図柄は、停止図柄が予め定められた図柄の組合せ、例えば同一図柄の組合せとなった場合に大当り状態となるように構成されている。また特別図柄は、可変入賞装置１１の上始動ポケット１４、又は電動式チューリップの開成動作により遊技球が誘導される下始動口（図示していない）への遊技球の入賞を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当り状態が発生する。なお、特別図柄としては、数字図柄、アルファベット図柄、キャラクター図柄等が使用可能である。
【００１０】
図２、図３に示すように可変入賞装置１１は、内部に進入しようとする遊技球を振り分けるために左右に離間配置された回動自在な２つの羽根部材２１を備えた前部ユニット２０と、前部ユニット２０の背面側に配置されて各羽根部材２１を駆動するギヤ等を備えた後部ユニット３０と、を備えている。前部ユニット２０と後部ユニット３０との境界には可変入賞装置を遊技盤面にネジ止めする際に使用する鍔状の取付け部材４０が配置されている。
前部ユニット２０は、２つの羽根部材２１の軸部２１ａを支持して各羽根部材を回動自在に軸支するフレーム２２と、フレーム２２の前面に配置された化粧板２３等を備えている。化粧板２３は遊技内容に関わる絵柄、文字等を表示するために可能な限り大きな面積となるように構成されているため、図３（ａ）に示すように羽根部材２１が開放した状態であっても羽根部材の大半の部分を隠蔽する。
後部ユニット３０は、遊技盤面よりも後方に位置しており、図示しないソレノイドからの駆動力を羽根部材の軸部２１ａと連結されたギヤに伝達して羽根部材を開閉動作させるように構成される。
取付け部材４０は本例では板状であり、両ユニット２０、３０の外形輪郭線よりも外側へ張り出した構成となっている。
【００１１】
本発明の特徴的な構成は、取付け部材４０の前面（羽根部材背面と対向する面）に、各羽根部材２１の少なくとも一部（特に先端部）を投影して前方から視認可能とする鏡面４１が形成されている点にある。鏡面４１は羽根部材２１を前方から視認することを妨げている化粧板２３の存在にも拘わらず、羽根部材の背面側を投影することにより、遊技者が前方から鏡面４１に投影された羽根部材の動作状態を確認することを可能ならしめる。
取付け部材４０の前面に鏡面４１を形成する範囲は、例えば図２、図３中にハッチングで示した外側領域（化粧板２３の外形輪郭線２３ａ、或いは羽根部材の先端部２１ｂの移動軌跡よりも数ｍｍ程度外側までの領域）４１ａから、化粧板の外形輪郭線２３ａの内側に数ｍｍ入った内側領域までとすれば十分である。或いは、外側領域のみとしてもよい。
鏡面４１は、平坦な遊技盤面と平行な平坦面であってもよいし、前方へ膨出した湾曲面、或いは前方へ突出した傾斜面（平坦面）であってもよい。湾曲面、或いは傾斜面とすることにより、羽根部材背面、先端側側面のより広い範囲を投影して前方から視認させることが可能となる。
【００１２】
図４（ａ）は取付け部材４０に設けた湾曲面を鏡面４１とした例を示し、（ｂ）は取付け部材４０に設けた傾斜面を鏡面４１とした例を示し、（ｃ）及び（ｄ）は夫々湾曲面からなる鏡面４１、及び傾斜面から成る鏡面４１を夫々化粧板２３の外形輪郭線２３ａ（或いは、羽根部材先端部の移動軌跡）よりも外側に配置した例を示している。
何れの場合においても傾斜面４１が羽根部材の先端部近傍を明確に投影するため、前方から羽根部材の動作状態を確認することが可能となる。
なお、鏡面４１を取付け部材４０以外の部分、例えば遊技盤面に取り付けた別部材に設けても良い。
以上のように本発明によれば、羽根部材の開閉動作をそのまま投影する鏡面を羽根部材の背面側に配置したので、化粧板を小型化することなく羽根部材の開閉動作を視認することが可能となる。
【図面の簡単な説明】
【００１３】
【図１】本発明の実施の形態に係るパチンコ遊技機の全体正面図である。
【図２】（ａ）（ｂ）及び（ｃ）は羽根部材が閉止した状態にある可変入賞装置を示す正面図、平面図、及び右側面図である。
【図３】（ａ）（ｂ）及び（ｃ）は羽根部材が開放した状態にある可変入賞装置を示す正面図、平面図、及び右側面図である。
【図４】（ａ）乃至（ｄ）は羽根と化粧板に対する鏡面の位置関係、形状を異ならせた例を示す説明略図である。
【符号の説明】
【００１４】
１…パチンコ遊技機、２…枠、３…遊技盤、４…皿部、５…発射レバー、６…操作部、１０…普通図柄表示装置、１１…可変入賞装置、１２…ゲート、１３…大入賞口、１４…上始動ポケット、１５…風車、１６…普通入賞口、１７…電動式チューリップ、１８…アウト口、２０…前部ユニット、２１…羽根部材、２１ａ…軸部、２２…フレーム、２３…化粧板、２３ａ…外形輪郭線、３０…後部ユニット、４０…取付け部材、  ４１…鏡面、４１…傾斜面
【図１】
0004646992.tif 000002
【図２】
0004646992.tif 000003
【図３】
0004646992.tif 000004
【図４】
0004646992.tif 000005